(57)【要約】【課題】寄付対象を自由に設定及び変更することができ、寄付者の社会貢献意識をより高めることができるようにする。【解決手段】募金システムは、寄付者１が金銭を入金するための募金装置１０と、該募金装置を管理するための管理端末装置２０とがネットワーク３０に接続されてなる。募金装置は、募金装置の寄付対象を表示可能なディスプレイ部１１と、ディスプレイ部に表示する内容を制御する制御部１４と、ネットワークを介して管理端末装置と通信するための通信部１７とを備え、通信部により管理端末装置からディスプレイ部に表示する寄付対象を変更する命令を受信すると、命令に基づいて制御部によってディスプレイ部に表示する寄付対象を変更する。【選択図】図２
2018116358.tif 000002
【特許請求の範囲】
【請求項１】
寄付者が金銭を入金するための募金装置と、該募金装置を管理するための管理端末装置とがネットワークに接続されてなる募金システムであって、
前記募金装置は、
前記募金装置の寄付対象を表示可能なディスプレイ部と、
前記ディスプレイ部に表示する内容を制御する制御部と、
前記ネットワークを介して前記管理端末装置と通信するための通信部と、を備え、
前記通信部により前記管理端末装置から前記ディスプレイ部に表示する前記寄付対象を変更する命令を受信すると、前記命令に基づいて前記制御部によって前記ディスプレイ部に表示する前記寄付対象を変更し、
前記管理端末装置は、前記募金装置から受信する前記募金額に関する情報に基づいて複数の前記寄付対象の募金額を管理する、
ことを特徴とする募金システム。
【請求項２】
前記募金装置は、前記寄付者が募金額を決定するための募金額入力部をさらに備えていることを特徴とする請求項１に記載の募金システム。
【請求項３】
前記制御部は、前記寄付対象に対する合計募金額に基づいて、前記ディスプレイ部の表示内容を変更することを特徴とする請求項１又は２に記載の募金システム。
【請求項４】
前記制御部は、前記寄付者からの入金額と前記寄付者が決定した募金額との差を算出する算出手段を含むことを特徴とする請求項１〜３のいずれか１項に記載の募金システム。
【請求項５】
前記制御部は、予め設定された前記寄付対象の目標募金額に対する合計募金額の割合である募金達成度を算出し、
前記ディスプレイ部は、前記募金達成度を表示可能であることを特徴とする請求項１〜４のいずれか１項に記載の募金システム。
【請求項６】
前記ディスプレイ部は、前記募金達成度に応じて前記寄付対象の外形全体のうち表示する割合を変えることを特徴とする請求項５に記載の募金システム。
【請求項７】
前記ディスプレイ部は、複数の前記寄付対象を表示可能であり、
前記募金装置は、前記寄付者が前記複数の寄付対象から所望の寄付対象を選択するための選択手段をさらに備え、前記通信部により前記寄付対象ごとの募金額の情報を前記管理端末装置に送信することを特徴とする請求項１〜６のいずれか１項に記載の募金システム。
【請求項８】
前記募金装置は、自動販売機であることを特徴とする請求項１〜７のいずれか１項に記載の募金システム。
【請求項９】
前記自動販売機は、商品を購入することなく募金のみを行うための手段を備えていることを特徴とする請求項８に記載の募金システム。
【発明の詳細な説明】
【技術分野】
【０００１】
本発明は、募金システムに関し、特に、その管理者が自由に寄付対象を設定できる募金システムに関する。
【背景技術】
【０００２】
従来、募金を広く人々から集める方法としては、人が集まる場所に募金箱を設置したり、募金箱を持ったボランティアの人を立たせたりする等の方法が一般的である。また、近年では、商品の購入代金の一部を募金できる募金機能付き自動販売機が知られている。
【０００３】
例えば、特許文献１には、ジュースやビール等の商品を販売する自動販売機であって、商品の購入時に購入代金の一部や釣銭を寄付でき、その募金額やそれまでの合計の募金額を表示する自動販売機が開示されている。
【０００４】
特許文献１に開示される募金機能付き自動販売機によると、人手を必要とせずに募金を集めることができ、商品の購入時の釣銭等で募金をすることができるため、募金が集まりやすい。
【先行技術文献】
【特許文献】
【０００５】
【特許文献１】特開２００２−３２８４１号公報
【発明の概要】
【発明が解決しようとする課題】
【０００６】
しかしながら、特許文献１に開示される募金機能付き自動販売機では、予めその自動販売機によって寄付できる寄付対象が決められており、通常はその自動販売機の所有者や管理者が自由に寄付対象を変更することはできない。さらに、特許文献１の自動販売機は、商品購入者の社会貢献意識を高めるために、寄付した金額及びそれまでの募金額の合計を表示する手段を有するが、金額が表示されるのみであり、商品購入者の社会貢献意識を飛躍的に向上できるとはいえない。
【０００７】
本発明は、前記の問題に鑑みてなされたものであり、その目的は、寄付対象を自由に設定及び変更することができ、寄付者の社会貢献意識をより高めることができる募金システムを得ることにある。
【課題を解決するための手段】
【０００８】
前記の目的を達成するために、本発明の募金システムでは、募金装置を管理端末装置とネットワークで接続して、管理者が管理端末装置を用いて自由に募金装置の募金対象を決定及び変更できるようにし、また、募金装置にディスプレイを設けて、寄付者の社会貢献意識を高めるための種々の表示を可能にした。
【０００９】
具体的に、本発明に係る募金システムは、寄付者が金銭を入金するための募金装置と、該募金装置を管理するための管理端末装置とがネットワークに接続されてなる募金システムであって、募金装置は、募金装置の寄付対象を表示可能なディスプレイ部と、ディスプレイ部に表示する内容を制御する制御部と、ネットワークを介して管理端末装置と通信するための通信部と、を備え、通信部により管理端末装置からディスプレイ部に表示する寄付対象を変更する命令を受信すると、命令に基づいて制御部によってディスプレイ部に表示する寄付対象を変更し、管理端末装置は、募金装置から受信する募金額に関する情報に基づいて複数の寄付対象の募金額を管理する、ことを特徴とする。
【００１０】
本発明に係る募金システムによると、寄付対象を募金装置のディスプレイ部に表示できるため、寄付者が寄付対象を視覚的に認識できて寄付者の社会貢献意識を高めることができる。また、本発明に係る募金システムでは、募金装置の管理者が管理端末装置によってディスプレイ部に表示する寄付対象を変更することができるため、管理者が当該募金装置の寄付対象を自由に変更することが可能となる。また、管理端末装置は、募金装置から受信する募金額に関する情報に基づいて複数の寄付対象のそれぞれの募金額を管理できるため、寄付対象を変更してもその変更前と変更後の寄付対象のそれぞれの募金額を管理できる。
【００１１】
本発明に係る募金システムにおいて、募金装置は、寄付者が募金額を決定するための募金額入力部をさらに備えていることが好ましい。
【００１２】
このようにすると、寄付者が募金額入力部を用いて任意に募金額を決定できる。
【００１３】
本発明に係る募金システムにおいて、制御部は、寄付対象に対する合計募金額に基づいて、ディスプレイ部の表示内容を変更することが好ましい。
【００１４】
このようにすると、寄付者からの寄付があったときに、合計募金額の増加が視覚的に認識できて、寄付者の社会貢献意識を高めることができる。
【００１５】
本発明に係る募金システムにおいて、制御部は、寄付者からの入金額と寄付者が決定した募金額との差を算出する算出手段を含んでいてもよい。
【００１６】
このようにすると、募金装置に別途計算機を設ける必要が無くなり有利である。
【００１７】
本発明に係る募金システムにおいて、制御部は、予め設定された前記寄付対象の目標募金額に対する合計募金額の割合である募金達成度を算出し、ディスプレイ部は、募金達成度を表示可能であることが好ましい。
【００１８】
このようにすると、寄付者がディスプレイ部を見ることで募金達成度を認識することができ、寄付者の社会貢献意識を高めることができる。
【００１９】
本発明に係る募金システムにおいて、ディスプレイ部は、募金達成度に応じて寄付対象の外形全体のうち表示する割合を変えることが好ましい。
【００２０】
このようにすると、寄付者がディスプレイ部を見ることで募金達成度を認識することができ、また、数値ではなく寄付対象自体で達成度を示すため、寄付者の社会貢献意識を高めることができ、さらに、募金を促すことも可能となる。
【００２１】
例えば寄付対象が公園のベンチであり、募金達成度が５０％の場合、ディスプレイ部にベンチ全体のうち５０％を表示し、残りの５０％は表示しない又は破線で表示することができる。この他に、ベンチ全体のうち５０％をカラーで表示し、残りの５０％をモノクロで表示してもよい。そして、募金達成度が上がるに応じてその表示領域やカラー領域を増やすことにより、募金達成度を示すことができる。なお、示される寄付対象は、写真でもよいしイラスト等でもよい。
【００２２】
本発明に係る募金システムにおいて、ディスプレイ部は、複数の寄付対象を表示可能であり、募金装置は、寄付者が複数の寄付対象から所望の寄付対象を選択するための選択手段をさらに備え、通信部により寄付対象ごとの募金額の情報を管理端末装置に送信することが好ましい。
【００２３】
このようにすると、寄付者は複数の寄付対象から自由に寄付対象を選択することができるため、寄付者の満足度を向上できる。
【００２４】
本発明に係る募金システムにおいて、募金装置は、自動販売機であることが好ましい。
【００２５】
このようにすると、自動販売機はあらゆる場所に設置されているため、募金をする機会を増やすことができ、商品の購入と共に募金ができるため便利である。
【００２６】
本発明に係る募金システムにおいて、自動販売機は、商品を購入することなく募金のみを行うための手段を備えていることが好ましい。
【００２７】
このようにすると、自動販売機の商品を購入したい人のみならず、自動販売機の商品の購入を望まない人も募金をすることができる。
【００２８】
本発明に係る募金システムにおいて、寄付対象に関する映像を撮影し、該映像を募金装置に送信するカメラ装置をさらに備え、ディスプレイ部は、映像を表示可能であることが好ましい。
【００２９】
このようにすると、寄付者が寄付対象についての映像を見ることができるため、寄付者の社会貢献意識をより高めることができ、さらに、募金を促すことも可能となる。例えば、寄付対象が学校の建設である場合、建設予定地にカメラ装置を設置し、学校の建設過程を表示することができる。
【発明の効果】
【００３０】
本発明に係る募金システムによると、寄付対象を自由に設定及び変更することができ、寄付者が任意に募金額を決定でき、寄付者の社会貢献意識をより高めることができる。
【図面の簡単な説明】
【００３１】
【図１】本発明の第１の実施形態に係る募金システムの構成を示すブロック図である。
【図２】本発明の第１の実施形態に係る募金システムのうち募金装置の構成の詳細を示すブロック図である。
【図３】本発明の第１の実施形態に係る募金システムによって募金される際の処理の流れの一例を示すフローチャート図である。
【図４】本発明の第２の実施形態に係る募金システムのうち自動販売機の構成の詳細を示すブロック図である。
【図５】（ａ）及び（ｂ）は、本発明の第２の実施形態に係る募金システムにおけるディスプレイ部の表示内容を説明するための図である。
【図６】本発明の第２の実施形態に係る募金システムにおいて、寄付対象選択部の機能を具備させたディスプレイ部について説明するための図である。
【図７】本発明の第２の実施形態に係る募金システムによって募金される際の処理の流れの一例を示すフローチャート図である。
【発明を実施するための形態】
【００３２】
以下、本発明を実施するための形態を説明する。以下の好ましい実施形態の説明は、本質的に例示に過ぎず、本発明、その適用方法或いはその用途を制限することを意図するものではない。
【００３３】
（第１の実施形態）
まず、本発明の第１の実施形態に係る募金システムの全体構成について図１を参照しながら説明する。図１に示すように、本実施形態に係る募金システムは、募金装置１０と管理端末装置２０とを含み、募金装置１０と管理端末装置２０とはネットワーク３０を介して互いに接続している。なお、図１では、複数の募金装置１０がネットワーク３０を介して管理端末装置２０に接続されているが、単一の募金装置１０のみがネットワーク３０を介して管理端末装置２０に接続されていてもよい。
【００３４】
管理端末装置２０は、募金装置１０の管理者が、例えば募金装置１０の寄付対象や寄付対象ごとの合計募金額等の情報を管理するための装置であり、ネットワーク３０を介して募金装置１０と通信ができ、例えば通常のパーソナルコンピュータ等を用いることができる。管理端末装置２０は、複数の募金装置１０から送信される情報に従って、各募金装置１０における寄付対象及びその募金額を一括で管理できる。さらに、管理端末装置２０は、寄付対象のための募金先となる例えば銀行口座に送金するための送金手段を備えている。従って、管理者は、管理端末装置２０によって複数の募金装置１０の寄付対象及びその募金額を管理でき、寄付対象を変更又は追加したり、募金先に送金したりすることができる。このような構成であるため、例えば地震等の災害が発生した際に、管理者は、管理端末装置２０を用いて、ネットワーク３０を介して通信可能な複数の募金装置１０における寄付対象を災害義援金に瞬時に変更することが可能である。
【００３５】
ネットワーク３０は、募金装置１０と管理端末装置２０とを通信可能に接続するためのものであり、特にその形態や媒体は限定されず、例えばインターネット網、ＰＨＳ網、又はＬＡＮ等の有線又は無線のネットワークを用いることができる。
【００３６】
次に、募金装置１０の構成について図２を参照しながら説明する。図２に示すように、募金装置１０は、寄付対象や合計募金額等を表示するためのディスプレイ部１１と、寄付者１からの金銭の入金を受けるための入金部１２と、寄付者１が募金額を決定するための募金額入力部１３とを備えている。また、募金装置１０は、入金額と募金額との差を算出する算出手段を有し且つディスプレイ部１１に表示する内容を制御する制御部１４と、該制御部１４で算出された入金額と募金額との差を寄付者１に返金する出金部１５と、寄付者１が所望の寄付対象を選択するための寄付対象選択部１６とを備えている。さらに、募金装置１０は、寄付対象選択部１６で選択された寄付対象の情報及び該寄付対象に対して受けた募金額の情報をネットワーク３０を介して管理端末装置２０に送信したり、ネットワーク３０を介して管理端末装置２０から寄付対象を変更する命令を受信したりする通信部１７を備えている。
【００３７】
ディスプレイ部１１は、寄付者１が当該募金装置１０により寄付できる寄付対象を表示するための、例えば液晶ディスプレイ、プラズマディスプレイ又は有機ＥＬディスプレイ等であり、また、タッチパネルディスプレイであってもよい。なお、ディスプレイ部１１は、単一の寄付対象のみならず、複数の寄付対象を表示することができる。さらに、寄付対象のみならず、寄付者１の入金額、寄付者１の募金額、並びに所定の寄付対象におけるこれまでの合計募金額、目標募金額、及び該目標募金額に対する合計募金額の割合である目標募金額の達成度の値等を表示することもできる。但し、ディスプレイ部１１は、合計募金額や、目標募金額の達成度を表示する場合、上記のように値で表示することに限定されない。例えば、寄付対象が公園のベンチであり、募金達成度が５０％の場合、ディスプレイ部１１にベンチ全体のうち５０％を表示し、残りの５０％は表示しない又は破線で表示することができる。この他に、ベンチ全体のうち５０％をカラーで表示し、残りの５０％をモノクロで表示してもよい。そして、募金達成度が上がるに応じてその表示領域やカラー領域を増やすことにより、募金達成度を示すことができる。なお、示される寄付対象は、写真でもよいしイラスト等でもよい。また、寄付対象が例えば目標額が設定されていない災害義援金等の場合、目標額や達成度を表示せずに合計募金額のみをディスプレイ部１１に表示でき、この場合、合計募金額が増加するに従って、ディスプレイ部１１の表示を変化させるように構成されていてもよい。
【００３８】
入金部１２は、寄付者１が募金装置１０に入金できる手段であれば特に限定されないが、例えば自動販売機に用いられるような硬貨投入口及び紙幣投入口であってもよく、また、電子マネーに対応可能なリーダライタ等であっても構わない。さらに、入金部１２は、クレジットカードに対応可能なクレジットカードリーダであっても構わない。
【００３９】
募金額入力部１３は、寄付者１が所望の募金額を入力できる手段であれば特に限定されず、例えば数字を打ち込むためのキーパッドを用いることができる。この他に、ディスプレイ部１１をタッチパネルとし、ディスプレイ部１１に募金額入力部１３としての機能を併せ持たせることもできる。また、入力された募金額や入金された金額をディスプレイ部１１に表示するように構成されていることが好ましい。
【００４０】
制御部１４は、ディスプレイ部１１に表示する内容を決定及び変更するようにディスプレイ部１１を制御するものであり、例えば任意の制御回路等が用いられる。制御部１４は、管理端末装置２０からの命令を受信した通信部１７からのその命令に基づいて、ディスプレイ部１１の表示を決定及び変更する。また、制御部１４は、入金部１２により入金された金額と募金額入力部１３により入力された金額との差を計算できる演算回路等の算出手段を有する。そして、算出された差についても、ディスプレイ部１１に表示させることができるように構成されている。また、制御部１４は、入金部１２、募金額入力部１３、及び寄付対象選択部１６における入金額、募金額及び選択された寄付対象のそれぞれに基づいて、ディスプレイ部１１の表示を決定及び変更するように構成されている。
【００４１】
制御部１４の算出手段によって、寄付者１からの入金額が、寄付者１が入力した金額を超えたことが算出されると、その差額が出金部１５によって寄付者１に返金される。出金部１５は、例えば周知である自動販売機における釣銭を返す手段を用いることができる。
【００４２】
寄付対象選択部１６は、複数の寄付対象のうち寄付者１が寄付したい対象を選択するための手段であり、例えばディスプレイ部１１に複数の寄付対象を表示し、当該手段としての選択ボタンで寄付対象を選択することができる。また、ディスプレイ部１１をタッチパネルとし、ディスプレイ部１１自体に寄付対象選択部１６としての機能を設けてもよい。
【００４３】
本実施形態に係る募金システムでは、上述の通り、募金装置１０のディスプレイ部１１に寄付対象を表示することができるが、これに代えて、寄付対象に関する映像を表示できるように構成されていても構わない。このようにするために、本実施形態に係る募金システムの構成として、寄付対象に関連する場所に設置されたカメラ装置を備えることができる。この場合、カメラ装置は、募金装置１０の通信部１７又は管理端末装置２０とネットワーク３０を介して、撮影した映像を送信するための通信手段を備えている。募金装置１０は、ディスプレイ部１１にカメラ装置が撮影する映像を表示するように構成されている。例えば、寄付対象が学校の建設である場合、建設予定地にカメラ装置を設置し、学校の建設過程を表示することができる。なお、ディスプレイ部１１に表示される映像は、録画映像であってもよいし、リアルタイムの映像であってもよい。録画映像の場合、該映像は管理端末装置２０又は制御部１４に記憶される。
【００４４】
次に、本実施形態の募金システムによって募金される際の募金装置１０における処理の流れについて図３を参照しながら説明する。図３に示すように、まず、寄付者１がディスプレイ部１１に表示された寄付対象から寄付したい寄付対象を寄付対象選択部１６で選択する（ステップＳ１１）。続いて、寄付者１が所望の募金額を募金額入力部１３を用いて入力し（ステップＳ１２）、入金部１２から現金又は電子マネー等を用いて入金する（ステップＳ１３）。なお、これらのステップＳ１１〜Ｓ１３は順序が入れ替わっても構わない。ステップＳ１１〜Ｓ１３の後、寄付者１が入金した入金額が入力された募金額に達したか否かを制御部１４の算出手段が算出し、入金額が入力された募金額に達するまで待機する（ステップＳ１４）。このとき、例えばディスプレイ部１１に入金額が入力された募金額に達していない旨を表示し、寄付者１に入金を促すことができる。入金額が入力された募金額に達すると、さらに制御部１４は入金額が入力された募金額を超えたか否かを算出する（ステップＳ１５）。入金額が入力された募金額を超えた場合、超えた金額を釣銭として出金部１５から返金する（ステップＳ１６）。釣銭の返却後又は入金額と入力された募金額とが同一であったときは、募金額、選択された寄付対象に基づいて制御部１４がディスプレイ部１１の表示を変更する（ステップＳ１７）。具体的には、合計募金額及び目標達成度の値の表示を加算したり、寄付対象の外形の表示割合を増大させたりする。その後、制御部１４から通信部１７を介して管理端末装置２０に寄付者１が選択した寄付対象及びそれに対する募金額の情報を送る（ステップＳ１８）。なお、ステップＳ１７とＳ１８とは順序が入れ替わっても構わない。
【００４５】
管理者は、当該情報を管理端末装置２０にて管理することができ、例えば、管理者が所定の募金装置１０における寄付対象が目標募金額を達成したことを知ると、管理端末装置２０を用いて募金装置１０に対してディスプレイ部１１に表示する寄付対象を変更する命令を送信することができる。これにより、当該募金装置１０における寄付対象を変更することができる。また、上述のとおり、管理者は、寄付対象の目標募金額に達した場合に、管理端末装置２０を用いて募金先に送金することができる。なお、本実施形態では管理端末装置２０を用いて、募金装置１０の寄付対象を設定及び変更することについて説明したが、募金装置１０を直接操作して寄付対象を設定及び変更しても構わない。
【００４６】
なお、上記本実施形態では、ディスプレイ部１１に複数の寄付対象が表示され、寄付者１がその中から所望の寄付対象を選択する場合について説明したが、ディスプレイ部１１に寄付対象を１つのみ表示するようにしてもよく、この場合、上記ステップＳ２２はスキップされる。
【００４７】
また、上記本実施形態では、募金装置１０に募金額入力部１３を設け、寄付者１が募金額入力部１３により任意の募金額を入力するようにしていたが、その代わりに、管理者が募金装置１０において予め所定の募金額を設定しても構わない。この場合、上記ステップＳ１２は省略される。
【００４８】
以上のように、本実施形態に係る募金システムによると、寄付対象を管理者が適宜設定・変更することができ、ディスプレイに寄付対象を表示することができ、募金額の目標達成度に応じて寄付対象の表示を変化させることができるため、寄付者の社会貢献意識をより高めることができる。
【００４９】
なお、本実施形態の募金装置１０は、社会全体のための募金に適用するのみならず、所定のスポーツチームやアイドルグループの活動費用のための募金、企業の福利厚生資金のための募金、観光施設の保守管理資金のための募金等の所定の集団内での資金調達目的の募金にも適用可能である。
【００５０】
また、本実施形態の募金装置１０は、寄付者１の情報を取得するための寄付者情報取得部を備えていてもよい。寄付者情報取得部は、寄付者１自身が当該情報を入力するような形態でもよいし、電子マネー等の情報を利用して、自動的に寄付者情報を取得できるように構成されていてもよい。このようにすると、募金額と共に寄付者情報を管理端末装置２０に送信できて、募金額と共に寄付者情報を管理端末装置２０で管理することができる。これにより、当該情報を税金の寄付控除に利用したり、寄付者や募金の情報をＳＮＳ（ソーシャルネットワーキングシステム）で共有したりすることも可能である。また、上記寄付控除の利用のために、本実施形態の募金装置１０は、寄付者１が寄付したことを証明するための領収書若しくはレシート、又はその証明書を得るためのＱＲコード（登録商標）を出力するための手段を備えていてもよい。
【００５１】
また、本実施形態において、管理端末装置２０は、管理する複数の募金装置１０の寄付対象等の情報をインターネットによりウェブサイトで公開することも可能である。これにより、寄付者１は、当該ウェブサイトで、管理端末装置２０が管理する複数の募金装置１０の寄付対象を確認することができる。さらに、当該ウェブサイトにおいて各寄付対象への寄付を可能にすれば、寄付者１が募金装置１０に直接に出向く必要がなく、例えば寄付者１が自身の故郷や好きな観光地等に関する所望の寄付対象にインターネット上で寄付することも可能となる。
【００５２】
（第２の実施形態）
次に、第２の実施形態として募金装置が自動販売機である募金システムについて説明する。第２の実施形態の募金システムの全体構成は、図１に示す第１の実施形態の募金システムの全体構成と比較して、募金装置１０が自動販売機となる点で異なるのみであるため、全体構成の詳細な説明は省略する。
【００５３】
次に、募金装置である自動販売機４０の構成について図４を参照しながら説明する。ここでは、第１の実施形態と同一の構成については詳細な説明を省略し、異なる部分について詳細に説明する。図４に示すように、自動販売機４０は、第１の実施形態の募金装置１０と同様に、ディスプレイ部４１、入金部４２、募金額入力部４３、制御部４４、出金部４５、寄付対象選択部４６、及び通信部４７を備えている。
【００５４】
本実施形態の自動販売機４０は、さらに、飲料等の販売商品を表示する商品表示部４８と、該商品表示部４８に表示された商品のうちから所望の商品を選択するための商品選択部４９と、該商品選択部４９により選択された商品を購入者が取り出すための商品取出部５０とを備えている。また、自動販売機４０は、商品の購入と共に、又は商品を購入することなく寄付を行うことを選択するための寄付選択部５１をさらに備えている。
【００５５】
商品表示部４８は、自動販売機４０の複数の商品を表示するものであり、各商品の見本が陳列されていてもよいし、各商品が陳列された映像を表示するディスプレイであってもよい。また、商品表示部４８を設ける代わりに、ディスプレイ部４１に商品が表示されるように構成されていてもよい。なお、本実施形態では、商品は飲料品であるが、これに限られず、たばこ、アイス又はその他の商品であっても構わない。
【００５６】
商品選択部４９は、商品表示部４８に表示された商品から寄付者（購入者）１が所望の商品を選択するためのボタン又はタッチパネルである。なお、上記のようにディスプレイ部４１に商品が表示されるように構成されている場合、商品選択部４９を設ける代わりに、ディスプレイ部４１をタッチパネルとして商品選択部４９の機能を具備させても構わない。
【００５７】
商品取出部５０は、通常の自動販売機における商品取出口と同様の構成を採用することができる。
【００５８】
寄付選択部５１は、寄付者１が寄付を希望する際に選択するボタン又はタッチパネルである。寄付者１は、寄付選択部５１を操作することで、商品の購入と共に、又は商品を購入せずに寄付を行うことができる。なお、寄付選択部５１を設ける代わりに、ディスプレイ部４１をタッチパネルとして寄付選択部５１の機能を具備させても構わない。
【００５９】
本実施形態の自動販売機４０においても、ディスプレイ部４１は、図５（ａ）及び（ｂ）に示すように、寄付者１が当該自動販売機４０により寄付できる寄付対象を表示し、また、上述のようにディスプレイ部４１をタッチパネルとして商品表示部４８及び商品選択部４９とすることができる。また、ディスプレイ部４１に表示される寄付対象は、管理端末装置２０からの命令を受けて変更することができ、例えば図５（ａ）に示す寄付対象としてバス停のベンチの設置を表示するディスプレイ部４１を、図５（ｂ）に示すように病院における医療機器の購入に表示を変更することが可能である。
【００６０】
さらに、上記第１の実施形態と同様に、ディスプレイ部４１は、寄付対象のみならず、寄付者１の入金額、寄付者１の募金額、並びに所定の寄付対象におけるこれまでの合計募金額、目標募金額、及び該目標募金額に対する合計募金額の割合である目標募金額の達成度等を表示することもできる。図５（ａ）及び（ｂ）では、ディスプレイ部４１が目標募金額と合計募金額とを分数の形態で表示している。さらに、第１の実施形態と同様に、ディスプレイ部４１は、目標募金額の達成度の表示のために、数値で表示するのみならず、図５（ａ）に示すように、募金達成度に応じて寄付対象（ベンチ）の表示形態を変更でき、募金達成度が約５０％の場合、ベンチ全体のうち約５０％を表示し、残りは破線で表示することができる。
【００６１】
また、本実施形態においても第１の実施形態と同様に、ディスプレイ部４１は、単一の寄付対象のみならず、複数の寄付対象を表示することができる。また、図６に示すように、ディスプレイ部４１をタッチパネルとして、複数の寄付対象のうち寄付者１が寄付したい対象を選択するための寄付対象選択部４６としての機能をディスプレイ部４１に設けてもよい。
【００６２】
次に、本実施形態の募金システムによって募金される際の自動販売機４０における処理の流れについて図７を参照しながら説明する。図７に示すように、まず、寄付者１が入金部４２から現金によって入金する（ステップＳ２１）。続いて、寄付者１が商品選択部４９により所望の商品を選択する（ステップＳ２２）。その後、寄付者１が寄付選択部５１を操作して寄付を希望しているか否かを判定し（ステップＳ２３）、寄付者１が寄付を希望していない場合、ステップＳ２２で選択された商品を商品取出部５０に送出し、入金額が商品価格よりも多い場合は釣銭を出金部４５から返却する（ステップＳ２４）。一方、寄付者１が寄付を希望している場合、ディスプレイ部４１に表示された寄付対象から寄付したい寄付対象を寄付対象選択部４６で選択する（ステップＳ２５）。続いて、寄付者１が所望の募金額を募金額入力部１３を用いて入力する（ステップＳ２６）。なお、ステップＳ２５とステップＳ２６とは順序が入れ替わってもよい。
【００６３】
ステップＳ２５及びＳ２６の後、寄付者１が入金した入金額と上記商品価格との差額が入力された募金額に達しているか否かを制御部４４の算出手段が算出し、その差額が入力された募金額に達していない場合は更なる入金を待ち、入力された募金額に達するまで待機する（ステップＳ２７）。このとき、例えばディスプレイ部４１に入金額と上記商品価格との差額が入力された募金額に達していない旨を表示し、寄付者１に入金を促すことができる。入金額が入力された募金額に達すると、さらに制御部４４は入金額が入力された募金額を超えたか否かを算出する（ステップＳ２８）。入金額と上記商品価格との差額が入力された募金額を超えた場合、超えた金額を釣銭として出金部４５から返金する（ステップＳ２９）。釣銭の返却後又は上記差額と入力された募金額とが同一であったときは、募金額、選択された寄付対象に基づいて制御部４４がディスプレイ部４１の表示を変更する（ステップＳ３０）。具体的には、合計募金額及び目標達成度の値の表示を加算したり、寄付対象の外形の表示割合を増大させたりする。その後、制御部４４から通信部４７を介して管理端末装置２０に寄付者１が選択した寄付対象及びそれに対する募金額の情報を送る（ステップＳ３１）。なお、ステップＳ３０とＳ３１とは順序が入れ替わっても構わない。その後、ステップＳ２２で選択された商品を商品取出部５０に送出する（ステップＳ３２）。なお、ステップＳ３２は、最後である必要はなく、ステップＳ２２からステップＳ３１までの間に行われればよい。
【００６４】
なお、ここでは寄付者１が自動販売機４０で商品を購入すると共に寄付をする場合について説明したが、上述したとおり、寄付者１は商品を購入することなく寄付のみを行うことができる。その場合、上記ステップＳ２２は行わず、寄付者１は寄付選択部５１により寄付をすることを選択し、ステップＳ２５〜Ｓ３１までが行われる。
【００６５】
また、上記本実施形態では、寄付者１が現金で入金する場合について説明したが、電子マネーやクレジットカードを用いる場合、寄付者１が入金するステップＳ２１は、寄付者１が商品購入のみを希望する場合はステップＳ２２の後に行われ、寄付者１が寄付を行う場合はステップＳ２６の後に行われても構わない。
【００６６】
また、上記本実施形態では、自動販売機４０に募金額入力部４３を設け、寄付者１が募金額入力部４３により任意の募金額を入力するようにしていたが、その代わりに、管理者が自動販売機４０において予め所定の募金額を設定できるように構成されてもよい。例えば、管理者が自動販売機４０において、その商品価格の１割や釣銭額の１割を募金額とするように設定できるように構成されていてもよい。この場合、ステップＳ２６は省略される。
【００６７】
以上のように、本実施形態に係る募金システムによると、寄付対象を管理者が適宜設定・変更することができ、ディスプレイに表示することができ、募金額の目標達成度に応じて寄付対象の表示を変化させることができるため、寄付者の社会貢献意識をより高めることができる。また、本実施形態では、自動販売機を募金装置として適用しているため、商品の購入と共に募金ができるため、多くの人に対して募金をする機会を増やすことができるので募金を促進できる。
【００６８】
本発明の募金システムは、例えば第２の実施形態に示すように募金装置を自動販売機とすることができるが、これに限らず、例えばデジタルサイネージ等の広告媒体や証明写真機、コインロッカー等を募金装置として適用することも可能である。
【産業上の利用可能性】
【００６９】
本発明は、管理者が自由に寄付対象を設定できる募金システムに関し、自動販売機等に適用することができる。
【符号の説明】
【００７０】
１          寄付者
１０        募金装置
１１、４１  ディスプレイ部
１２、４２  入金部
１３、４３  募金額入力部
１４、４４  制御部
１５、４５  出金部
１６、４６  寄付対象選択部
１７、４７  通信部
２０        管理端末装置
３０        ネットワーク
４０        自動販売機
４８        商品表示部
４９        商品選択部
５０        商品取出部
５１        寄付選択部
【図１】
2018116358.tif 000003
【図２】
2018116358.tif 000004
【図３】
2018116358.tif 000005
【図４】
2018116358.tif 000006
【図５】
2018116358.tif 000007
【図６】
2018116358.tif 000008
【図７】
2018116358.tif 000009